(57)【要約】【課題】  平面的であっても、開封時に、封筒内に収納された対象物の一部が露出して飛び出すように見せることのできる封筒セットを提供すること。【解決手段】  上部に開口部１４が設けられた袋状の本体部１５と、開口部１４を開閉する蓋シート１６とを備えた封筒１１と、この封筒１１内に出し入れ可能に設けられるとともにキャラクター表示面１２Ｂを備えた被収納体１２とにより封筒セット１０が構成されている。封筒１１は、平面的な形状を維持した状態で箱状体として視覚されるように着色印刷が施されており、被収納体１２は、蓋シート１６を開放したときに、前記キャラクター表示面１２Ｂが開口部形成縁２０Ａから露出し、びっくり箱に類似した状態でキャラクター表示面１２Ｂを見せることができる。【選択図】          図３
2006219180.tif 000002
【特許請求の範囲】
【請求項１】
表側シートと裏側シートとを備えて上部に開口部が設けられた袋状の本体部と、当該本体部に連なって前記開口部を開閉する蓋シートとを備えた封筒と、前記本体部に出し入れ可能に設けられたシート状の被収納体とからなり、
前記封筒は、表側シートの開口部形成縁よりも上方に裏側シートの上部領域が位置するとともに、平面的な形状を維持した状態で箱状体として視覚されるように設けられ、
前記被収納体は、前記本体部に収納された状態で一部が開口部形成縁から露出するとともに、前記蓋シートが開口部を閉塞した状態で隠蔽されることを特徴とする封筒セット。
【請求項２】
前記被収納体は、メッセージ記入面と、このメッセージ記入面に連なるキャラクター表示面とを含み、このキャラクター表示面の少なくとも一部が前記開口部形成縁から露出することを特徴とする請求項１記載の封筒セット。
【請求項３】
前記蓋シートは、前記裏側シートに連なるとともに、前記開口部を閉塞したときに、前記箱状体の頂壁として表出することを特徴とする請求項１又は２記載の封筒セット。
【請求項４】
前記蓋シートの側端縁と本体部との間に、内側に折り込み可能な折り込み片部が設けられていることを特徴とする請求項３記載の封筒セット。
【請求項５】
前記封筒は前記蓋シートが開口部を閉塞した状態で平面視略六角形に設けられるとともに、前記本体部及び蓋シートの表裏各面は着色印刷が施され、当該着色印刷の濃度が異なる領域を設けることで前記箱状体として視覚されることを特徴とする請求項１ないし４の何れかに記載の封筒セット。
【請求項６】
前記封筒は、外形が略相似形状となる大小複数設けられるとともに、前記シート部材は、各封筒のサイズに応じてそれぞれ設けられ、サイズが小さい封筒はサイズの大きい封筒に順次収納可能に設けられていることを特徴とする請求項１ないし５記載の封筒セット。
【発明の詳細な説明】
【技術分野】
【０００１】
本発明は封筒セットに係り、更に詳しくは、平面的な袋状であっても箱状体のように見せることができる封筒と、開封時に、封筒内の被収納体が飛び出すように露出して、びっくり箱のような印象を付与することができる封筒セットに関する。
【背景技術】
【０００２】
一般的に知られている封筒セットは、一端すなわち上端に開口部が形成された封筒と、当該封筒内に折り畳んで収納される便箋等の用紙との組み合わせにより構成されている。しかしながら、一般的な封筒セットは、せいぜい封筒の色や便箋の平面形状若しくは罫線等が個性化されている程度のものであって、斬新性ないし奇抜性に乏しいものとなっている。
【０００３】
ところで、びっくり箱は、立体形状を備えた箱と、当該箱の内部に収納される飛び出し対象物とからなるものであるが、封筒セットに、びっくり箱に類似した機能を視覚的に付与することができれば、従来タイプに比べて斬新性を付与することができる。また、平面的な取り扱いができるので、切手を貼付してそのまま郵便に付することも可能となる。
【０００４】
特許文献１には、封筒と、当該封筒の平面形状に適合するメッセージ記入用シートとからなる封筒セットが開示されている。
【０００５】
【特許文献１】実開平３−１１６４０号公報
【発明の開示】
【発明が解決しようとする課題】
【０００６】
しかしながら、特許文献１に記載された封筒セットは、メッセージ記入用シートが封筒内に完全に収納された状態で封入されるものであり、開封時に、一部が飛び出したように見えることはないものとなっている。
【０００７】
［発明の目的］
ここに、本発明の目的は、平面的であっても、開封時に、封筒内に収納された対象物の一部が露出して飛び出すように見せることのできる封筒セットを提供することにある。
【課題を解決するための手段】
【０００８】
前記目的を達成するため、本発明に係る封筒セットは、表側シートと裏側シートとを備えて上部に開口部が設けられた袋状の本体部と、当該本体部に連なって前記開口部を開閉する蓋シートとを備えた封筒と、前記本体部に出し入れ可能に設けられたシート状の被収納体とからなり、
前記封筒は、表側シートの開口部形成縁よりも上方に裏側シートの上部領域が位置するとともに、平面的な形状を維持した状態で箱状体として視覚されるように設けられ、
前記被収納体は、前記本体部に収納された状態で一部が開口部形成縁から露出するとともに、前記蓋シートが開口部を閉塞した状態で隠蔽される、という構成を採っている。
【０００９】
本発明において、前記被収納体は、メッセージ記入面と、このメッセージ記入面に連なるキャラクター表示面とを含み、このキャラクター表示面の少なくとも一部が前記開口部形成縁から露出するように設けられている。
【００１０】
また、前記蓋シートは、前記裏側シートに連なるとともに、前記開口部を閉塞したときに、前記箱状体の頂壁として表出するように設けるとよい。
【００１１】
更に、前記蓋シートの側端縁と本体部との間に、内側に折り込み可能な折り込み片部を設けることが好ましい。
【００１２】
また、前記封筒は前記蓋シートが開口部を閉塞した状態で平面視略六角形に設けられるとともに、前記本体部及び蓋シートの表裏各面は着色印刷が施され、当該着色印刷の濃度が異なる領域を設けることで前記箱状体として視覚されるように設けられている。
【００１３】
更に、前記封筒は、外形が略相似形状となる大小複数設けられるとともに、前記シート部材は、各封筒のサイズに応じてそれぞれ設けられ、サイズが小さい封筒はサイズの大きい封筒に順次収納可能に設けられる、という構成を採るとよい。
【発明の効果】
【００１４】
本発明によれば、封筒が箱状体として視覚され、表側シートの開口部形成縁から被収納体の一部が露出した状態で、蓋シートで隠蔽することができるため、封筒を開封したときに、前記露出した被収納体の一部が飛び出したように見え、平面的なものであっても、びっくり箱に類似した印象を与えることが可能となる。
【００１５】
また、蓋シートを開封したときに、被収納体におけるキャラクター表示面が飛び出したように見えるので、種々のキャラクターを採用することで、開封時の印象に多様性を持たせることができる。しかも、被収納体の上部は開口部形成縁よりも上方に露出しているので、被収納体の抜き出しを極めて容易に行うことができる。
【００１６】
更に、前記蓋シートと本体部との間に折り込み片部を設けた構成によれば、収納された対象物、すなわち、被収納体が不用意に抜け出てしまうような虞を効果的に防止することができる。
【００１７】
また、前記本体部及び蓋シートにおける表裏各面の着色印刷に際し、濃度を異ならせる領域を設けることで箱状体として視覚されるので、色のコントラストを通じて立体的な形状を認識させることができるので、印刷の仕方を種々変化させることで、箱状体の見え方を異ならせることも可能となる。
【００１８】
更に、前記封筒は、相互に略相似形状となる大小複数とされ、サイズが小さい封筒がサイズの大きい封筒に順次収納できるため、最大の大きさを有する封筒に、これより小さい封筒を全て収納することで、梱包面積を最小化することが可能となる。
【発明を実施するための最良の形態】
【００１９】
以下、本発明の好ましい実施形態を図面を参照しながら説明する。
【００２０】
図１には、本実施形態に係る封筒セットの概略正面図が示され、図２には、被収納体の正面図が示されている。これらの図において、封筒セット１０は、封筒１１と、当該封筒１１内に収納された被収納体１２とにより構成されている。封筒１１は、上部に開口部１４（図３参照）が設けられた袋状の本体部１５と、当該本体部１５に連なって前記開口部１４を開閉する蓋シート１６とからなり、当該蓋シート１６を閉蓋位置としたとき、すなわち、図１に示される位置としたときに、平面視略六角形状を表すようになっている。
【００２１】
前記本体部１５は、図３に示されるように、表側シート２０と、裏側シート２１とからなり、表側シート２０の上端縁は、中央部より若干右寄り位置が最も低位置となるコーナー部Ｐを有する略Ｌ字状の開口部形成縁２０Ａとされ、下端縁は、前記開口部形成縁２０Ａに略対応した底部形成縁２０Ｂを構成するように設けられている。表側シート２０において、前記コーナー部Ｐより左側領域Ｓ１は、封筒１１の地色（本実施形態では白）と異なる有彩色（例えば、赤、黄等）が印刷されている一方、コーナー部Ｐより右側領域Ｓ２は、同一系統の色であって、左側領域Ｓ１よりも濃度の濃い色で着色印刷が施されている（図４参照）。なお、表側シート２０の内面は、図５に示されるように、左右両側縁に沿う数ミリ程度の領域と、底部形成縁２０Ｂに沿う数ミリ程度の領域を除き、着色印刷されていない地色のままとなっている。
【００２２】
前記裏側シート２１は、上部が表側シート２０における開口部形成縁２０Ａよりも上方に位置する大きさを備え、閉蓋時における封筒１１の外形に対応した略六角形状に設けられている。すなわち、裏側シート２１の上部は、開口部形成縁２０Ａを形成する各縁に対して略平行に位置する第１の折り曲げ線２５及び第２の折り曲げ線２６以下の領域によって形成されている。第１の折り曲げ線２５と第２の折り曲げ線２６との交点Ｐ１位置より左側内面領域Ｓ３は、表側シート２０の前記左側領域Ｓ１と右側領域Ｓ２の各濃度の中間程度の濃度であり、前記交点Ｐ１より右側内面領域Ｓ４は、表側シート２０の右側領域Ｓ２と同程度の濃度に着色印刷が施されている。この際、左側内面領域Ｓ３の着色印刷は、後述する糊代形成片３５の領域に数ミリ程度はみ出して設けられている。なお、裏側シート２１の外面は、図４に示されるように、当該裏側シート２１自体で立方体に見えるように濃度が三段階に異なる着色印刷が施されている。この着色印刷も、後述する糊代形成片３５の領域に数ミリ程度はみ出して設けられている。
【００２３】
前記蓋シート１６は、第２の折り曲げ線２６を介して裏側シート２１の上端部に連設されている。この蓋シート１６は、第２の折り曲げ線２６を谷折りしたときに、前記開口部形成縁２０Ａ上に沿って、当該開口部形成縁２０Ａを覆うことができる外縁形状に設けられている。蓋シート１６の内面及び外面は、表側シート２０の左側領域Ｓ１と同等の着色印刷が施されているが、外面側において、前記第１の折り曲げ線２５及び後述する上部折れ線３１からはみ出す数ミリ程度の領域は同様の着色印刷が施されている。
【００２４】
前記蓋シート１６と、裏側シート２１との間には平面視略三角形状の折り込み片部３０が設けられている。この折り込み片部３０と蓋シート１６との境界は上部折れ線３１とされ、この上部折れ線３１と前記第１の折り曲げ線２５との間には、折り込み片部３０を内方に折り込むための折り込み線３２が形成されている。折り込み片部３０は、蓋シート１６を閉蓋位置としたときに、前記第１の折り込み線２５相当位置と、上部折れ線３１相当位置との間から被収納体１２の一部が突出したり、抜け出したりすることがないように保つものである。なお、折り込み片部３０は、内外両面とも、地色のままであり着色印刷はされていない。
【００２５】
前記被収納体１２は、図２に示されるように、平面視略長方形状のメッセージ記入面１２Ａと、このメッセージ記入面１２Ａの上端に連なるキャラクター表示面１２Ｂとからなる。メッセージ記入面１２Ａは、所望のメッセージが記入できる領域であり、着色印刷を行うことなく外縁側の装飾された領域を除いて用紙の地色のままとなっている。メッセージ記入面１２Ａの大きさは、被収納体１２を本体部１１に収納したときに、前記キャラクター表示面１２Ｂが前記開口部形成縁２０Ａから上方に位置し、且つ、裏側シート２１の上部領域内に収まるように設けられ、これにより、蓋シート１６を閉蓋位置としても、キャラクター表示面１２Ｂが折れ曲がってしまうことがないように保たれる。本実施形態では、キャラクター表示面１２Ｂとして熊をあしらっているが、このキャラクターは、種々のものが選択される。また、メッセージ記入面１２Ａの平面形状は、キャラクター表示面１２Ｂを前述の位置に保つことができるものであれば、特に限定されるものではない。
【００２６】
前記封筒１１を構成するに際しては、図４及び図５に示されるように、裏側シート２１の側端及び底縁に連設された糊代形成片３５を内側に折り込み、当該糊代形成片に表側シート２０の外側内面を貼り付けることにより、上部が開口部１４となる扁平な袋状に形成することができる。
【００２７】
以上の構成において、封筒セット１０を利用するときは、メッセージ記入面１２Ａに所望のメッセージを記入し、これを封筒１１内に収納すればよい。被収納体１２は、メッセージ記入面１２Ａにおける下部二つの角部が封筒１１の底部側に突き当たった位置まで収納でき、このとき、キャラクター表示面１２Ｂが開口部形成縁２０Ａから露出した上方位置に保たれ、且つ、裏側シート２１の上部領域内に収まるようになる。
【００２８】
次いで、折り込み片部３０を内側に折り込みながら、蓋シート１６で開口部１４を閉塞し、封印ラベルＬ（図１参照）を貼付すればよい。
【００２９】
従って、封筒の受取人は、封印ラベルＬを剥離して蓋シート１６を開放したときに、開口部形成縁２０Ａから露出するキャラクター表示面１２Ａを見ることになり、恰も、箱状体から飛び出したような印象を受けることができる。
【００３０】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、色彩その他の詳細な構成において、当業者が様々な変形を加えることができるものである。
従って、上記に開示した形状、位置、色彩などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３１】
例えば、図６に示されるように、前記封筒セット１０における封筒１１と相似形状となる中型サイズの封筒セット１０−１及び小型サイズの封筒セット１０−２を設け、中型サイズの封筒セット１０−１に小型サイズの封筒セット１０−２を収納した状態で、中型サイズ１０−１を前記封筒セット１０内に収納して三セットの封筒セットとしてもよい。これにより、封筒セットを販売する際の梱包単位は、最も大きい封筒セット１０の平面積で足りることとなる。なお、中型及び小型サイズの封筒内にも、これらのサイズに対応した被収納体が収納される。
【００３２】
前記三セットの封筒を利用する場合には、個々に利用することは勿論、全てを一体に用いてマトリョーシカに類似した態様で利用することでもよい。この場合、個々のメッセージ記入欄に連続性を持たせたメッセージを記入すれば、従来にない斬新性を持たせた封筒セットとしての利用を図ることができる。
【００３３】
なお、前記実施形態における箱状体の形状は図示構成例に限定されるものではなく、立体的に見せることができるものであればよい。従って、球状等の立体を表出することができる封筒の採用も可能である。
【００３４】
また、立体に見せるための手段として濃度を変化させた着色印刷を採用したが、立体形状を表出させるための輪郭線と、当該輪郭線で囲まれる各面に陰影線を施すことでもよい。但し、宛名等を表示する場合を考慮すれば、前記実施形態で示したように、着色印刷によって立体的に見せる方が好ましい。
【図面の簡単な説明】
【００３５】
【図１】本実施形態に係る封筒セットの全体構成を示す概略正面図。
【図２】封筒セットを構成する被収納体を示す正面図。
【図３】封筒を開封した状態を示す正面図。
【図４】封筒の外面側を示す展開図。
【図５】封筒の内面側を示す展開図。
【図６】大小の封筒セットとしたときの概略正面図。
【符号の説明】
【００３６】
１０  封筒セット
１０−１  封筒セット
１０−２  封筒セット
１１  封筒
１２  被収納体
１２Ａ  メッセージ記入面
１２Ｂ  キャラクター表示面
１４  開口部
１５  本体部
１６  蓋シート
２０  表側シート
２０Ａ  開口部形成縁
２１  裏側シート
３０  折り込み片部
【図１】
2006219180.tif 000003
【図２】
2006219180.tif 000004
【図３】
2006219180.tif 000005
【図４】
2006219180.tif 000006
【図５】
2006219180.tif 000007
【図６】
2006219180.tif 000008